(57)【要約】【課題】機械設備１の保守点検作業にかかる労力や費用を軽減することができる振動解析診断システム及び可搬型記憶装置を提供すること。【解決手段】振動解析診断システムは、軸受の損傷に起因する損傷周波数を、軸受の回転速度を基に換算した換算損傷周波数として保存した損傷周波数データベースと、この損傷周波数データベースを参照して、軸受の動作状態を診断するための振動解析診断プログラムと、振動解析診断プログラムが動作する情報端末装置と、固有情報を含むライセンスキー、損傷周波数データベース、及び振動解析診断プログラムが記憶され、情報端末装置に接続される可搬型記憶装置と、を備える。情報端末装置は、損傷周波数データベース及び振動解析診断プログラムがインストールされていない場合に、損傷周波数データベース及び振動解析診断プログラムをインストールする。【選択図】図７
2020071038.tif 000002
【特許請求の範囲】
【請求項１】
軸受の損傷に起因する損傷周波数を、前記軸受の回転速度を基に換算した換算損傷周波数として保存したデータベースと、
前記データベースを参照して、前記軸受の動作状態を診断するためのプログラムと、
前記プログラムが動作する端末装置と、
固有情報を含むライセンスキー、前記データベース、及び前記プログラムが記憶され、前記端末装置に接続される可搬型記憶装置と、
を備え、
前記端末装置は、
前記データベース及び前記プログラムがインストールされていない場合に、前記データベース及び前記プログラムをインストールする
振動解析診断システム。
【請求項２】
前記端末装置は、
前記データベース及び前記プログラムをインストールする際に、前記ライセンスキーの固有情報を含む設定情報ファイルを作成し、
前記ライセンスキーに含まれる固有情報と、前記設定情報ファイルの固有情報とが一致した場合に、前記プログラムを起動する
請求項１に記載の振動解析診断システム。
【請求項３】
前記可搬型記憶装置は、
前記プログラムによる振動解析診断結果が保存データとして記憶され、
前記端末装置は、
前記ライセンスキーに含まれる固有情報と、前記設定情報ファイルの固有情報とが一致した場合に、前記保存データを表示する
請求項２に記載の振動解析診断システム。
【請求項４】
前記端末装置は、サーバとの間でデータの送受信を行う機能を有し、
前記ライセンスキーに含まれる固有情報と、前記設定情報ファイルの固有情報とが一致した場合に、前記サーバに格納された前記データベース及び前記プログラムの更新データを取得する
請求項２又は３に記載の振動解析診断システム。
【請求項５】
軸受の損傷に起因する損傷周波数を、前記軸受の回転速度を基に換算した換算損傷周波数として保存したデータベースと、
前記データベースを参照して、前記軸受の動作状態を診断するためのプログラムと、
前記データベース及び前記プログラムを端末装置にインストールするインストーラと、
固有情報を含むライセンスキーと、
が記憶されている
可搬型記憶装置。
【請求項６】
前記プログラムによる振動解析診断結果が保存データとして記憶され、
前記端末装置が前記プログラムを起動する際、前記ライセンスキーに含まれる固有情報と、前記端末装置に前記データベース及び前記プログラムがインストールされた際に作成された設定情報ファイルの固有情報とを照合する
請求項５に記載の可搬型記憶装置。
【発明の詳細な説明】
【技術分野】
【０００１】
本発明は、振動解析診断システム及び可搬型記憶装置に関する。
【背景技術】
【０００２】
例えば、エレベータ巻上機や、これに付帯する回転設備、エスカレータ駆動装置、プラント等の工作機械用スピンドルやモータ等の回転機械設備では、転がり軸受等の回転部品が多用されている。これらの機械設備を適切に維持するためには、回転部品の振動測定や軸受の異常の有無、異常発生部位等を判定し、必要に応じてメンテナンスする必要がある。
【０００３】
例えば、スマートフォン等の携帯情報端末と専用センサを用いて、検出データをサーバに送信し、サーバ上でデータ処理した処理結果を携帯情報端末に送信し、携帯情報端末の画面上に表示することで、軸受等の回転機械部品の動作状態を簡易に検査する技術が開示されている（例えば、特許文献１）。
【先行技術文献】
【特許文献】
【０００４】
【特許文献１】特開２０１５−１１４２１４号公報
【発明の概要】
【発明が解決しようとする課題】
【０００５】
上述したような機械設備の保守点検において、専門のサービスエンジニアが独自の振動解析アプリケーションを搭載したＰＣ等の情報端末を所持して複数のユーザを巡回して設備の検査を行っている。このようなサービスエンジニアは、国内外に多数存在しているため、振動解析アプリケーションや情報端末の管理や更新作業に多大な労力や費用が発生する。
【０００６】
本発明は、上記の課題に鑑みてなされたものであって、機械設備の保守点検作業にかかる労力や費用を軽減できる振動解析診断システム及び可搬型記憶装置を提供すること、を目的としている。
【課題を解決するための手段】
【０００７】
上記の目的を達成するため、本発明の一態様に係る振動解析診断システムは、軸受の損傷に起因する損傷周波数を、前記軸受の回転速度を基に換算した換算損傷周波数として保存したデータベースと、前記データベースを参照して、前記軸受の動作状態を診断するためのプログラムと、前記プログラムが動作する端末装置と、固有情報を含むライセンスキー、前記データベース、及び前記プログラムが記憶され、前記端末装置に接続される可搬型記憶装置と、を備え、前記端末装置は、前記データベース及び前記プログラムがインストールされていない場合に、前記データベース及び前記プログラムをインストールする。
【０００８】
これにより、機械設備の保守点検作業にかかる労力や費用を軽減することができる。
【０００９】
振動解析診断システムの望ましい態様として、前記端末装置は、前記データベース及び前記プログラムをインストールする際に、前記ライセンスキーの固有情報を含む設定情報ファイルを作成し、前記ライセンスキーに含まれる固有情報と、前記設定情報ファイルの固有情報とが一致した場合に、前記プログラムを起動することが好ましい。
【００１０】
これにより、振動解析診断プログラム及び損傷周波数データベースの秘匿性を高めることができ、セキュアな振動解析診断システムを構築することができる。
【００１１】
また、振動解析診断システムの望ましい態様として、前記可搬型記憶装置は、前記プログラムによる振動解析診断結果が保存データとして記憶され、前記端末装置は、前記ライセンスキーに含まれる固有情報と、前記設定情報ファイルの固有情報とが一致した場合に、前記保存データを表示することが好ましい。
【００１２】
これにより、ライセンスキーと設定情報ファイルの固有情報が一致しない場合は、保存データを見ることができない。このように、保存データとして可搬型記憶装置の内部メモリに記憶された振動解析診断処理結果の情報漏洩を防ぐことができ、セキュアな振動解析診断システムを構築することができる。
【００１３】
また、振動解析診断システムの望ましい態様として、前記端末装置は、サーバとの間でデータの送受信を行う機能を有し、前記ライセンスキーに含まれる固有情報と、前記設定情報ファイルの固有情報とが一致した場合に、前記サーバに格納された前記データベース及び前記プログラムの更新データを取得することが好ましい。
【００１４】
これにより、振動解析診断プログラム及び損傷周波数データベースの秘匿性を高めることができ、セキュアな振動解析診断システムを構築することができる。
【００１５】
上記の目的を達成するため、本発明の一態様に係る可搬型記憶装置は、軸受の損傷に起因する損傷周波数を、前記軸受の回転速度を基に換算した換算損傷周波数として保存したデータベースと、前記データベースを参照して、前記軸受の動作状態を診断するためのプログラムと、前記データベース及び前記プログラムを端末装置にインストールするインストーラと、固有情報を含むライセンスキーと、が記憶されている。
【００１６】
これにより、機械設備の保守点検作業にかかる労力や費用を軽減することができる。また、振動解析診断プログラム及び損傷周波数データベースの秘匿性を高めることができる。
【００１７】
また、可搬型記憶装置の望ましい態様として、前記プログラムによる振動解析診断結果が保存データとして記憶され、前記端末装置が前記プログラムを起動する際、前記ライセンスキーに含まれる固有情報と、前記端末装置に前記データベース及び前記プログラムがインストールされた際に作成された設定情報ファイルの固有情報とを照合することが好ましい。
【００１８】
これにより、保存データとして可搬型記憶装置の内部メモリに記憶された振動解析診断処理結果の情報漏洩を防ぐことができる。
【図面の簡単な説明】
【００１９】
【図１】図１は、実施形態に係る振動解析診断システムの診断対象となる機械設備の一例を示す図である。
【図２】図２は、実施形態に係る振動解析診断システムの概略構成を示す模式図である。
【図３】図３は、実施形態に係る情報端末装置の構成の一例を示すブロック図である。
【図４】図４は、軸受の部位と損傷周波数との関係を示す図である。
【図５】図５は、実施形態に係る振動解析診断システムで用いる損傷周波数データベースの一例を示す図である。
【図６】図６は、実施形態に係る可搬型記憶装置の構成の一例を示すブロック図である。
【図７】図７は、実施形態に係る振動解析診断システムにおける振動解析診断プログラムの起動手順の一例を示すフローチャートである。
【図８】図８は、振動解析診断プログラムの起動処理における起動確認画面の一例を示す図である。
【図９】図９は、振動解析診断プログラムの起動処理における認証エラー画面の一例を示す図である。
【図１０】図１０は、振動解析診断プログラムの起動処理におけるインストール承認画面の一例を示す図である。
【図１１】図１１は、実施形態に係る振動解析診断システムにおける振動解析診断プログラムの初期設定処理フローの一例を示すフローチャートである。
【図１２】図１２は、振動解析診断プログラムの初期画面の一例を示す図である。
【図１３】図１３は、振動解析診断プログラムのユーティリティ画面の一例を示す図である。
【図１４Ａ】図１４Ａは、振動解析診断プログラムの診断条件設定画面の一例を示す図である。
【図１４Ｂ】図１４Ｂは、振動解析診断プログラムの診断条件設定画面の一例を示す図である。
【図１４Ｃ】図１４Ｃは、振動解析診断プログラムの診断条件設定画面の一例を示す図である。
【図１４Ｄ】図１４Ｄは、振動解析診断プログラムの診断条件設定画面の一例を示す図である。
【図１５】図１５は、実施形態に係る振動解析診断システムにおける振動解析診断プログラムの振動解析診断手順の一例を示すフローチャートである。
【図１６】図１６は、振動解析診断プログラムの診断処理終了画面の一例を示す図である。
【図１７】図１７は、実施形態に係る振動解析診断システムにおける振動解析診断プログラムの保存データ表示手順の一例を示すフローチャートである。
【図１８】図１８は、振動解析診断プログラムの保存データ表示画面の一例を示す図である。
【図１９】図１９は、振動解析診断プログラムの振動解析診断処理結果表示画面の一例を示す図である。
【図２０】図２０は、実施形態に係る振動解析診断システムにおける振動解析診断プログラム及び損傷周波数データベースの更新手順の一例を示すフローチャートである。
【図２１】図２１は、振動解析診断プログラム及び損傷周波数データベースの更新手順におけるバージョン情報表示画面の一例を示す図である。
【図２２】図２２は、振動解析診断プログラム及び損傷周波数データベースの更新手順における更新確認画面の一例を示す図である。
【発明を実施するための形態】
【００２０】
以下、発明を実施するための形態（以下、実施形態という）につき図面を参照しつつ詳細に説明する。なお、下記の実施形態により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００２１】
（実施形態）
図１は、実施形態に係る振動解析診断システムの診断対象となる機械設備の一例を示す図である。なお、以下の説明では、機械設備に設けられた転がり軸受１１を例に説明する。
【００２２】
転がり軸受１１は、機械設備１のハウジング１５等に内嵌される外輪１２と、機械設備１の回転軸に外嵌される内輪１３と、外輪１２と内輪１３との間で転動可能に配置された複数の転動体１４と、転動体１４を転動自在に保持する不図示の保持器と、を有する。以下、転がり軸受１１を単に「軸受１１」とも称する。
【００２３】
図２は、実施形態に係る振動解析診断システムの概略構成を示す模式図である。実施形態に係る振動解析診断システム１０は、機械設備１に設けられた軸受１１の振動を検出し、軸受１１の動作状態を診断する。図２に示すように、実施形態に係る振動解析診断システム１０は、振動分析装置２０と、可搬型記憶装置３０と、情報端末装置４０（端末装置）と、を備える。
【００２４】
振動分析装置２０は、機械設備１の所定部位における振動を検出する振動センサ（不図示）が内蔵されている。振動分析装置２０は、振動センサにより検出される振動信号の分析結果を情報端末装置４０に送信する。なお、振動分析装置２０の機械設備１との接続部には、例えば、不図示の雌ねじ部が形成されており、雌ねじ部に螺合する部材に磁石を取り付けることで、振動分析装置２０が機械設備１のハウジング１５（図１参照）に着脱可能な構成であっても良い。また、機械設備１の複数の各部位に対応する複数の振動分析装置２０を有する構成であっても良い。
【００２５】
情報端末装置４０は、例えば、タブレットＰＣ等の携帯情報端末装置である。また、情報端末装置４０は、インターネットやＷｉ−Ｆｉ（登録商標）等の通信回線網１００を介してサーバ２００とも接続可能であり、当該サーバ２００から、後述する振動解析診断プログラム等のアプリケーションプログラムや、後述する損傷周波数データベース等の更新データを取得して更新することもできる。
【００２６】
振動分析装置２０と情報端末装置４０との間は、通信手段５０によりデータや各種指令信号の送受信が行われる。本開示において、通信手段５０は、例えば、Ｂｌｕｅｔｏｏｔｈ（登録商標）等の無線通信手段である。
【００２７】
実施形態に係る可搬型記憶装置３０は、例えば、情報端末装置４０とＵＳＢインターフェース（不図示）で接続されるＵＳＢドングルである。本実施形態において、可搬型記憶装置３０は、情報端末装置４０のＵＳＢインターフェース（不図示）に接続される。
【００２８】
図３は、実施形態に係る情報端末装置の構成の一例を示すブロック図である。図３に示すように、情報端末装置４０は、処理部４３、記憶部４４、表示操作部４５を主に備える。
【００２９】
処理部４３は、例えばＭＣＵ（Ｍｉｃｒｏ  Ｃｏｎｔｒｏｌ  Ｕｎｉｔ）等のマイクロコントローラやＤＳＰ（Ｄｉｇｉｔａｌ  Ｓｉｇｎａｌ  Ｐｒｏｃｅｓｓｏｒ）等のマイクロプロセッサにより構成される回路である。
【００３０】
処理部４３は、記憶部４４に格納された振動解析診断プログラムを読み出し、振動分析装置２０から受信したスペクトルデータに基づいて、記憶部４４に記憶された損傷周波数データベース（損傷周波数ＤＢ）を参照しながら、所定の手順に従って処理部４３で演算処理し、振動解析診断処理結果を表示操作部４５に出力する。
【００３１】
表示操作部４５は、例えば、タッチ検出機能付きの液晶パネル等で構成される。表示操作部４５は、情報端末装置４０に内蔵する制御ソフトにより画面表示が切り替え可能である。表示操作部４５は、振動値、診断結果、各種波形等の処理結果を表示すると共に、振動解析診断プログラムを起動して、軸受１１の振動解析診断機能における各種設定情報、例えば、軸受１１の名番、回転輪の回転速度等の各情報を選択して入力することができる。
【００３２】
記憶部４４は、例えばＨＤＤ、ＳＳＤ、ＲＯＭ、ＲＡＭ等で構成される。記憶部４４は、上述した振動解析診断プログラム及び損傷周波数データベースの他に、振動解析診断プログラムの設定情報ファイル（ｉｎｉファイル）や、振動解析診断プログラムにおける各種設定項目等が記憶されている。本実施形態において、設定情報ファイルは、後述する可搬型記憶装置３０から振動解析診断プログラムをインストールした際に作成される。設定情報ファイルは、可搬型記憶装置３０が有するライセンスキーの固有情報を含む。
【００３３】
また、記憶部４４は、情報端末装置４０のオペレーティングシステム（ＯＳ）や、情報端末装置４０の各種機能を実現するために必要な各種プログラムが記憶されている。また、記憶部４４は、処理部４３の主メモリ、処理部４３が実行する各種プログラムのワーキングエリア等としても機能する。
【００３４】
なお、記憶部４４の損傷周波数データベースに記憶されている損傷周波数は、軸受１１の所定の回転速度を基に換算した、軸受１１の部位ごとの換算損傷周波数であり、診断に使用される損傷周波数は、換算損傷周波数を、軸受１１の実際の回転速度を用いて計算することで得られる。
【００３５】
図４は、軸受の部位と損傷周波数との関係を示す図である。図５は、実施形態に係る振動解析診断システムで用いる損傷周波数データベースの一例を示す図である。
【００３６】
図５に示す損傷周波数データベースには、例えば、図４に示す関係式を用いて、軸受１１の名番の内部諸元（図４に示す関係式に必要な寸法、転動体の数等）から予め算出した、単位回転速度時の内輪傷成分Ｓｉ、外輪傷成分Ｓｏ、転動体傷成分Ｓｂ、の換算損傷周波数が記憶される。図５では、回転輪が内輪である場合の内輪傷成分Ｓｉ１、外輪傷成分Ｓｏ１、転動体傷成分Ｓｂ１、及び、回転輪が外輪である場合の内輪傷成分Ｓｉ２、外輪傷成分Ｓｏ２、転動体傷成分Ｓｂ２、が記憶された例を示している。図５に示す損傷周波数データベースには、軸受名番と、各軸受名番ごとの各換算損傷周波数とが関連付けられて、ＤＬＬ（Ｄｙｎａｍｉｃ  Ｌｉｎｋ  Ｌｉｂｒａｒｙ）として保存されている。この損傷周波数データベースが記憶部４４に記憶されていることで、情報端末装置４０は、振動解析診断プログラムの実行時において、軸受１１ごとに図４に示す関係式を用いて各換算損傷周波数を算出することなく、振動解析診断処理を行うことができる。これにより、実施形態に係る振動解析診断システム１０は、振動解析診断プログラムの実行時において、情報端末装置４０における処理を軽減することができる。
【００３７】
図６は、実施形態に係る可搬型記憶装置の構成の一例を示すブロック図である。図６に示すように、可搬型記憶装置３０は、コントローラ３１、及び内部メモリ３２を主に備える。
【００３８】
内部メモリ３２は、例えば、フラッシュメモリ等で構成される。内部メモリ３２は、情報端末装置４０において実行される振動解析診断プログラム、損傷周波数データベース、ライセンスキー、及びこれらを情報端末装置４０にインストールするためのインストーラが主に記憶されている。また、内部メモリ３２は、情報端末装置４０によって実行された振動解析診断プログラムの振動解析診断処理結果を保存データとして記憶する機能を有している。内部メモリ３２に記憶された保存データは、後述する振動解析診断プログラムの「ユーティリティ画面」から、「保存データ読み出し」（図１３参照）を選択することで、参照することができる。
【００３９】
コントローラ３１は、例えばＭＣＵ等のマイクロコントローラやＤＳＰ等のマイクロプロセッサにより構成される回路である。
【００４０】
コントローラ３１は、情報端末装置４０からの制御指令に応じて、内部メモリ３２に記憶された振動解析診断プログラム、損傷周波数データベース、ライセンスキー等を、情報端末装置４０にインストールする機能を有している。
【００４１】
次に、振動解析診断システム１０における振動解析診断プログラムの起動手順について、図７から図１０を用いて説明する。
【００４２】
図７は、実施形態に係る振動解析診断システムにおける振動解析診断プログラムの起動手順の一例を示すフローチャートである。図８は、振動解析診断プログラムの起動処理における起動確認画面の一例を示す図である。図９は、振動解析診断プログラムの起動処理における認証エラー画面の一例を示す図である。図１０は、振動解析診断プログラムの起動処理におけるインストール承認画面の一例を示す図である。図７に示す処理は、振動解析診断プログラムを起動する毎に実施される。
【００４３】
本実施形態では、情報端末装置４０に可搬型記憶装置３０が接続されていない場合には、振動解析診断プログラムを起動することができないようにしている。
【００４４】
情報端末装置４０に可搬型記憶装置３０が接続されると（ステップＳ１）、可搬型記憶装置３０のコントローラ３１は、内部メモリ３２（図６参照）に記憶されたインストーラを起動する（ステップＳ２）。
【００４５】
可搬型記憶装置３０のコントローラ３１は、情報端末装置４０の処理部４３（図３参照）に対して、振動解析診断プログラムの設定情報ファイルの要求処理を行い（ステップＳ３）、当該設定情報ファイルの有無を判定する（ステップＳ４）。上述したように、本実施形態において、設定情報ファイルは、振動解析診断プログラムのインストール時に作成される。
【００４６】
情報端末装置４０に振動解析診断プログラムの設定情報ファイルがある場合（ステップＳ４；Ｙｅｓ）、続いて、コントローラ３１は、当該設定情報ファイルの固有情報と内部メモリ３２に記憶されたライセンスキーに含まれる固有情報とを照合する（ステップＳ５）。固有情報が一致している場合（ステップＳ５；Ｙｅｓ）、可搬型記憶装置３０のコントローラ３１は、情報端末装置４０の処理部４３に対して、振動解析診断プログラムの起動処理を要求すると共に、図８に示す「起動確認画面」の表示を要求する（ステップＳ６）。情報端末装置４０の処理部４３は、図８に示す「起動確認画面」を表示操作部４５に表示して（ステップＳ７）、振動解析診断プログラムの起動待機状態に移行し、振動解析診断プログラムの起動承認可否を判定する（ステップＳ８）。
【００４７】
操作者が「起動確認画面」上の「キャンセル」ボタンを操作して、振動解析診断プログラムの起動をキャンセルすると（ステップＳ８；Ｎｏ）、情報端末装置４０の処理部４３は、動解析診断プログラムの起動を中断して（ステップＳ９）、振動解析診断プログラムの起動処理を終了する。
【００４８】
操作者が「起動確認画面」上の「ＯＫ」ボタンを操作して、振動解析診断プログラムの起動を承認すると（ステップＳ８；Ｙｅｓ）、情報端末装置４０の処理部４３は、振動解析診断プログラムを起動して（ステップＳ１０）、振動解析診断プログラムの起動処理を終了する。
【００４９】
設定情報ファイルの固有情報と内部メモリ３２に記憶されたライセンスキーに含まれる固有情報とが一致しない場合（ステップＳ５；Ｎｏ）、可搬型記憶装置３０のコントローラ３１は、情報端末装置４０の処理部４３に対して、振動解析診断プログラムの起動中断処理を要求すると共に、図９に示す「認証エラー画面」の表示を要求する（ステップＳ１１）。情報端末装置４０の処理部４３は、図９に示す「認証エラー画面」を表示操作部４５に表示して（ステップＳ１２）、振動解析診断プログラムの起動を中断し（ステップＳ９）、振動解析診断プログラムの起動処理を終了する。
【００５０】
設定情報ファイルがない場合（ステップＳ４；Ｎｏ）、すなわち、情報端末装置４０に振動解析診断プログラムがインストールされていない場合には、可搬型記憶装置３０のコントローラ３１は、情報端末装置４０の処理部４３に対して、図１０に示す「インストール承認画面」の表示を要求する（ステップＳ１３）。情報端末装置４０の処理部４３は、図１０に示す「インストール承認画面」を表示操作部４５に表示して（ステップＳ１４）、操作者の入力待機状態に移行し、振動解析診断プログラムのインストール承認可否を判定する（ステップＳ１５）。
【００５１】
操作者が「インストール承認画面」上の「キャンセル」ボタンを操作して、振動解析診断プログラムのインストールをキャンセルすると（ステップＳ１５；Ｎｏ）、情報端末装置４０の処理部４３は、動解析診断プログラムのインストールを中断して（ステップＳ１６）、振動解析診断プログラムの起動処理を終了する。
【００５２】
操作者が「インストール承認画面」上の「ＯＫ」ボタンを操作して、振動解析診断プログラムのインストールを承認すると（ステップＳ１５；Ｙｅｓ）、情報端末装置４０の処理部４３は、可搬型記憶装置３０の内部メモリ３２に記憶された振動解析診断プログラムのインストールを開始する（ステップＳ１７）。
【００５３】
振動解析診断プログラムのインストール時において、情報端末装置４０の処理部４３は、可搬型記憶装置３０の内部メモリ３２に記憶された損傷周波数データベース（図５参照）を記憶部４４にコピーする（ステップＳ１８）。これにより、情報端末装置４０は、軸受１１ごとに図４に示す関係式を用いて各換算損傷周波数を算出することなく、損傷周波数データベースを参照して、後述する振動解析診断処理を実行することができる。
【００５４】
また、振動解析診断プログラムのインストール時において、情報端末装置４０の処理部４３は、振動解析診断プログラムの設定情報ファイル（図３参照）を作成し、記憶部４４に記憶する（ステップＳ１９）。これにより、次回の起動処理において、コントローラ３１は、設定情報ファイルの固有情報と内部メモリ３２に記憶されたライセンスキーに含まれる固有情報とを照合することで（ステップＳ５）、振動解析診断プログラムの起動可否を判定することができる。
【００５５】
振動解析診断プログラムのインストールが終了すると（ステップＳ２０）、情報端末装置４０の処理部４３は、図８に示す「起動確認画面」を表示して（ステップＳ７）、操作者の入力待機状態に移行し、振動解析診断プログラムを起動するか否かを判定する（ステップＳ８）。
【００５６】
操作者が「起動確認画面」上の「キャンセル」ボタンを操作して、振動解析診断プログラムの起動をキャンセルすると（ステップＳ８；Ｎｏ）、情報端末装置４０の処理部４３は、動解析診断プログラムの起動を中断して（ステップＳ９）、振動解析診断プログラムの起動処理を終了する。
【００５７】
操作者が「起動確認画面」上の「ＯＫ」ボタンを操作して、振動解析診断プログラムの起動を承認すると（ステップＳ８；Ｙｅｓ）、情報端末装置４０の処理部４３は、振動解析診断プログラムを起動して（ステップＳ１０）、振動解析診断プログラムの起動処理を終了する。
【００５８】
次に、本実施形態に係る振動解析診断システム１０における振動解析診断プログラムの初期設定手順について説明する。
【００５９】
図１１は、実施形態に係る振動解析診断システムにおける振動解析診断プログラムの初期設定処理フローの一例を示すフローチャートである。図１２は、振動解析診断プログラムの初期画面の一例を示す図である。図１３は、振動解析診断プログラムのユーティリティ画面の一例を示す図である。図１４Ａ、図１４Ｂ、図１４Ｃ、及び図１４Ｄは、振動解析診断プログラムの診断条件設定画面の一例を示す図である。
【００６０】
図７に示す振動解析診断プログラムの起動処理によって実施形態に係る振動解析診断プログラムが起動すると（ステップＳ３１）、情報端末装置４０は、図１２に示す振動解析診断プログラムの初期画面２を表示する（ステップＳ３２）。
【００６１】
図１２に示すように、振動解析診断プログラムの初期画面２には、例えば、診断条件読み込みボタン２０１、診断開始ボタン２０２、ユーティリティボタン２０３、終了ボタン２０４等が表示される。
【００６２】
診断条件読み込みボタン２０１は、予め設定した診断条件の読み込みを行うための操作ボタンである。診断開始ボタン２０２は、振動解析診断の開始を指示するための操作ボタンである。ユーティリティボタン２０３は、図１３に示すユーティリティ画面３を表示させるための操作ボタンである。終了ボタン２０４は、振動解析診断プログラムを終了させるための操作ボタンである。
【００６３】
操作者が初期画面２上のユーティリティボタン２０３を操作して、「ユーティリティ」を選択すると（ステップＳ３３）、情報端末装置４０は、図１３に示す振動解析診断プログラムのユーティリティ画面３を表示する（ステップＳ３４）。
【００６４】
図１３に示すように、振動解析診断プログラムのユーティリティ画面３には、例えば、診断条件設定ボタン３０１、保存データ読み出しボタン３０２、データ送信ボタン３０３、バージョン情報ボタン３０４、戻るボタン３０５等が表示される。
【００６５】
診断条件設定ボタン３０１は、診断条件の設定を行うための操作ボタンである。保存データ読み出しボタン３０２は、振動解析処理後の保存データを読み出すための操作ボタンである。データ送信ボタン３０３は、例えば、ＵＳＢメモリ、情報端末装置４０の内部メモリ、サーバ２００等に保存データを送信するための操作ボタンである。バージョン情報ボタン３０４は、振動解析診断プログラム又は損傷周波数データベースのバージョン情報の表示及び更新情報の確認を行うための操作ボタンである。戻るボタン３０５は、図１２に示す振動解析診断プログラムの初期画面２を再表示させるための操作ボタンである。
【００６６】
操作者がユーティリティ画面３上の診断条件設定ボタン３０１を操作して、「診断条件設定」を選択すると（ステップＳ３５）、情報端末装置４０は、図１４Ａに示す診断条件設定画面４−１を表示する（ステップＳ３６）。なお、図１４Ａに示す診断条件設定画面４−１、図１４Ｂに示す診断条件設定画面４−２、図１４Ｃに示す診断条件設定画面４−３、及び図１４Ｄに示す診断条件設定画面４−４は、任意に切替可能である。なお、図１４Ａ、図１４Ｂ、図１４Ｃ、及び図１４Ｄに示す例では、３つの振動分析装置２０を備え、各振動分析装置２０に設けられた振動センサにそれぞれ対応した「ＣＨ１」、「ＣＨ２」、「ＣＨ３」の何れかを選択可能となっている。図１４Ａ、図１４Ｂ、図１４Ｃ、及び図１４Ｄでは、「ＣＨ１」の振動分析装置２０に設けられた振動センサが選択された例を示している。
【００６７】
図１４Ａに示すように、振動解析診断プログラムの診断条件設定画面４−１には、例えば、基本設定ウィンドウ４０１−１、保存ボタン４０２、取り消しボタン４０３等が表示される。
【００６８】
図１４Ｂに示すように、振動解析診断プログラムの診断条件設定画面４−２には、例えば、軸受設定ウィンドウ４０１−２、保存ボタン４０２、取り消しボタン４０３等が表示される。
【００６９】
図１４Ｃに示すように、振動解析診断プログラムの診断条件設定画面４−３には、例えば、測定条件設定ウィンドウ４０１−３、保存ボタン４０２、取り消しボタン４０３等が表示される。
【００７０】
図１４Ｄに示すように、振動解析診断プログラムの診断条件設定画面４−４には、例えば、判定条件設定ウィンドウ４０１−４、保存ボタン４０２、取り消しボタン４０３等が表示される。
【００７１】
図１４Ａに示す基本設定ウィンドウ４０１−１は、振動解析の基本設定を行う表示領域である。基本設定ウィンドウ４０１−１で入力される基本設定項目としては、例えば、振動センサの種類、振動信号に対するゲイン設定、感度、プラント、診断対象設備、測定部位等の情報を含む。
【００７２】
図１４Ｂに示す軸受設定ウィンドウ４０１−２は、各振動センサ２１の振動検出対象の軸受に関する情報を設定する表示領域である。軸受設定ウィンドウ４０１−２で入力される軸受設定項目としては、例えば、モード、軸受の名番、回転数、回転輪等を含む。
【００７３】
図１４Ｃに示す測定条件設定ウィンドウ４０１−３は、振動測定の際の各振動センサ２１の測定条件を設定するための表示領域である。測定条件設定ウィンドウ４０１−３で入力される測定条件設定項目としては、例えば、最大周波数、各種フィルタのカットオフ周波数、平均化回数等を含む。
【００７４】
図１４Ｄに示す判定条件設定ウィンドウ４０１−４は、各振動分析装置２０に設けられた振動センサ毎の判定条件を設定するための表示領域である。判定条件設定ウィンドウ４０１−４で入力される判定条件設定項目としては、例えば、加速度（平均値）における判定閾値、加速度（ピーク値）における判定閾値等を含む。
【００７５】
以下、診断条件設定画面４−１，４−２，４−３，４−４を特段に区別しない場合には、「診断条件設定画面４」と称する。また、基本設定ウィンドウ４０１−１、軸受設定ウィンドウ４０１−２、測定条件設定ウィンドウ４０１−３、及び判定条件設定ウィンドウ４０１−４を特段に区別しない場合には、「設定ウィンドウ４０１」と称する。なお、各設定ウィンドウ４０１において設定可能な各項目は一例であり、各設定ウィンドウ４０１において設定する項目により本開示が限定されるものではない。
【００７６】
図１４Ａ、図１４Ｂ、図１４Ｃ、及び図１４Ｄに示す保存ボタン４０２は、各設定ウィンドウ４０１において設定した各種設定を保存し、図１３に示す振動解析診断プログラムのユーティリティ画面３を再表示させるための操作ボタンである。
【００７７】
図１４Ａ、図１４Ｂ、図１４Ｃ、及び図１４Ｄに示す取り消しボタン４０３は、各設定ウィンドウ４０１において設定した各種設定を取り消し、図１３に示す振動解析診断プログラムのユーティリティ画面３を再表示させるための操作ボタンである。
【００７８】
操作者が情報端末装置４０の表示操作部４５を操作して、例えば、診断条件設定画面４上の設定ウィンドウ４０１をタップすると、表示操作部４５にキーボードウィンドウ（不図示）が表示され、設定ウィンドウ４０１内の各種基本設定項目が入力可能となる。
【００７９】
操作者は、情報端末装置４０の表示操作部４５を操作して、診断条件設定画面４上の設定ウィンドウ４０１内の各種設定項目を入力する（ステップＳ３７）。
【００８０】
操作者が診断条件設定画面４上の保存ボタン４０２又は取り消しボタン４０３を操作して、各種設定の「保存」又は「取り消し」を選択すると（ステップＳ３８）、情報端末装置４０は、図１３に示す振動解析診断プログラムのユーティリティ画面３を再表示する（ステップＳ３９）。ここで、操作者が診断条件設定画面４上の保存ボタン４０２を操作して、各種設定の「保存」を選択すると、情報端末装置４０は、診断条件設定画面４上の設定ウィンドウ４０１内で入力された各種設定項目を記憶部４４に記憶する。
【００８１】
さらに、操作者がユーティリティ画面３上の戻るボタン３０５を操作して、「戻る」を選択すると（ステップＳ４０）、情報端末装置４０は、図１２に示す振動解析診断プログラムの初期画面２を再表示する（ステップＳ４１）。
【００８２】
そして、操作者が初期画面２上の終了ボタン２０４を操作して、「終了」を選択すると（ステップＳ４２）、情報端末装置４０は、実施形態に係る振動解析診断プログラムを終了し、振動解析診断システム１０における初期設定手順を終了する。
【００８３】
次に、本実施形態に係る振動解析診断システム１０における振動解析診断プログラムの振動解析診断手順について説明する。
【００８４】
図１５は、実施形態に係る振動解析診断システムにおける振動解析診断プログラムの振動解析診断手順の一例を示すフローチャートである。
【００８５】
図７に示す振動解析診断プログラムの起動処理によって実施形態に係る振動解析診断プログラムが起動すると（ステップＳ５１）、情報端末装置４０は、図１２に示す振動解析診断プログラムの初期画面２を表示する（ステップＳ５２）。
【００８６】
操作者が初期画面２上の診断条件読み込みボタン２０１を操作して、「診断条件読み込み」を選択すると（ステップＳ５３）、情報端末装置４０は、記憶部４４に記憶された各種設定を読み出す（ステップＳ５４）。
【００８７】
各種設定の読み出しを行っている間、情報端末装置４０は、初期画面２上の診断開始ボタン２０２を、表示操作部４５上においてグレーアウト表示とし、「診断開始」を選択不可とする。
【００８８】
記憶部４４に記憶された各種設定の読み出しが終了すると、情報端末装置４０は、初期画面２上の診断開始ボタン２０２を、表示操作部４５上においてグレーアウト表示を解除し、「診断開始」を選択可能とする。
【００８９】
操作者が初期画面２上の診断開始ボタン２０２を操作して、「診断開始」を選択すると（ステップＳ５５）、情報端末装置４０は、上述した初期設定手順で設定した各振動分析装置２０に設けられた振動センサに対し、順次、本実施形態に係る振動解析診断システム１０における振動解析診断処理を実施する。
【００９０】
ここで、本実施形態に係る振動解析診断システム１０における振動解析診断機能について説明する。本実施形態に係る振動解析診断システム１０は、振動解析診断機能として、軸受診断機能、振動値測定機能、簡易診断機能、周波数分析機能、聴音機能の各機能を主に備える。
【００９１】
軸受診断機能は、軸受の内外輪、転動体、及び保持器の損傷の有無、及びその損傷部位を診断する機能である。
【００９２】
振動値測定機能は、振動の変位、速度、加速度などの実効値、ピーク値、波高率を測定する機能である。
【００９３】
簡易診断機能は、検出された振動の変位、速度、加速度などの実効値、ピーク値、波高率を、予め設定されている閾値と比較して、回転部のアンバランスや転がり軸受の異常の有無を簡易的に診断する機能である。
【００９４】
周波数分析機能は、ＦＦＴなどにより振動波形を周波数分析したＦＦＴ波形を表示する機能である。
【００９５】
聴音機能は、軸受１１の運転音をスピーカ４６によって再生する機能である。
【００９６】
本実施形態において、振動解析診断システム１０は、振動解析診断機能として、上述した軸受診断機能、振動値測定機能、簡易診断機能、周波数分析機能、聴音機能のうちの１つ以上を実現する。本実施形態に係る振動解析診断システム１０では、これら振動解析診断機能において、上述したように、情報端末装置４０の記憶部４４に記憶された損傷周波数データベース（図５参照）を参照して振動解析診断処理を行う。これにより、情報端末装置４０は、軸受１１ごとに図４に示す関係式を用いて各換算損傷周波数を算出することなく、振動解析診断処理を実行することができる。
【００９７】
また、各振動解析診断機能によって取得された振動解析診断処理結果は、可搬型記憶装置３０の内部メモリ３２に記憶される。なお、ここでは、各振動解析診断機能の具体的な処理については詳細な説明を省略する。
【００９８】
情報端末装置４０は、上述した初期設定手順において設定された全ての振動センサ、具体的には、「ＣＨ１」、「ＣＨ２」、「ＣＨ３」に設定された振動センサにおいて、振動解析診断処理が終了したか否かを判定する（ステップＳ５８）。振動解析診断処理が終了していない振動センサがあれば（ステップＳ５８；Ｎｏ）、ステップＳ５６の処理に戻り、全ての振動センサの振動解析診断処理が終了するまで、ステップＳ５６からステップＳ５８までの処理を繰り返し実施する。
【００９９】
図１６は、振動解析診断プログラムの診断処理終了画面の一例を示す図である。
【０１００】
全ての振動センサの振動解析診断処理が終了すると（ステップＳ５８；Ｙｅｓ）、情報端末装置４０は、図１６に示す振動解析診断プログラムの診断処理終了画面５を表示し（ステップＳ５９）、振動解析診断システム１０における振動解析診断手順を終了する。
【０１０１】
図１６に示すように、振動解析診断プログラムの診断処理終了画面５には、例えば、各振動センサの簡易診断結果、図１６に示す例では、簡易診断処理によって取得された、「ＣＨ１」、「ＣＨ２」、「ＣＨ３」の各振動センサの簡易診断結果５０１−１，５０１−２，５０１−３、再測定（個別ＣＨ）ボタン５０２、再測定（全ＣＨ）ボタン５０３、個別に再測定を行う場合の振動センサを選択するための選択ボタン５０４等が表示される。
【０１０２】
再測定（個別ＣＨ）ボタン５０２は、選択ボタン５０４により選択された振動センサ（ここでは、「ＣＨ１」、「ＣＨ２」、「ＣＨ３」の何れか）において個別に再測定を行うための操作ボタンである。再測定（全ＣＨ）ボタン５０３は、全ての振動センサ（ここでは、「ＣＨ１」、「ＣＨ２」、「ＣＨ３」）において再測定を行うための操作ボタンである。
【０１０３】
操作者が診断処理終了画面５上の選択ボタン５０４を操作して、振動センサ（ここでは、「ＣＨ１」、「ＣＨ２」、「ＣＨ３」の何れか）を選択し、再測定（全ＣＨ）ボタン５０３を操作して、「再測定（個別ＣＨ）」を選択することで、選択した振動センサの振動解析診断処理を再実施することができる。また、操作者が診断処理終了画面５上の再測定（全ＣＨ）ボタン５０３を操作して、「再測定（全ＣＨ）」を選択することで、全ての振動センサ（ここでは、「ＣＨ１」、「ＣＨ２」、「ＣＨ３」）の振動解析診断処理を再実施することができる。診断処理終了画面５において「再測定（個別ＣＨ）」「再測定（個別ＣＨ）」を選択することによって取得された振動解析診断処理結果は、上述した振動解析診断手順によって取得された振動解析診断処理結果と同様に、可搬型記憶装置３０の内部メモリ３２に記憶される。
【０１０４】
次に、本実施形態に係る振動解析診断システム１０及び振動解析診断方法における保存データ表示手順について説明する。
【０１０５】
図１７は、実施形態に係る振動解析診断システムにおける振動解析診断プログラムの保存データ表示手順の一例を示すフローチャートである。図１８は、振動解析診断プログラムの保存データ表示画面の一例を示す図である。図１９は、振動解析診断プログラムの振動解析診断処理結果表示画面の一例を示す図である。
【０１０６】
図７に示す振動解析診断プログラムの起動処理によって実施形態に係る振動解析診断プログラムが起動すると（ステップＳ６１）、情報端末装置４０は、図１２に示す振動解析診断プログラムの初期画面２を表示する（ステップＳ６２）。
【０１０７】
操作者が初期画面２上のユーティリティボタン２０３を操作して、「ユーティリティ」を選択すると（ステップＳ６３）、情報端末装置４０は、図１３に示す振動解析診断プログラムのユーティリティ画面３を表示する（ステップＳ６４）。
【０１０８】
操作者がユーティリティ画面３上の保存データ読み出しボタン３０２を操作して、「保存データ読み出し」を選択すると（ステップＳ６５）、情報端末装置４０は、図１８に示す振動解析診断プログラムの保存データ表示画面６を表示する（ステップＳ６６）。
【０１０９】
図１８に示すように、振動解析診断プログラムの保存データ表示画面６には、例えば、保存データ表示ウィンドウ６０１、表示ボタン６０２、削除ボタン６０３、編集ボタン６０４等が表示される。
【０１１０】
上述した振動解析診断手順、及び、振動解析診断プログラムの診断処理終了画面５において、「再測定（個別ＣＨ）」、「再測定（全ＣＨ）」を選択することによって取得された振動解析診断処理結果は、当該振動解析診断処理結果を取得した「日付／時刻」、「プラント」、「設備」、「測定位置」、及び振動センサの「ＣＨ」等の情報と関連付けられて可搬型記憶装置３０の内部メモリ３２に記憶されている。保存データ表示ウィンドウ６０１には、振動解析診断処理結果を取得した「日付／時刻」、「プラント」、「診断対象設備」、「測定部位」、及び振動センサの「ＣＨ」等の情報がタグとして表示され、各振動解析診断処理結果が一覧表示される。操作者は、保存データ表示ウィンドウ６０１に表示されたタグの左端に設けられたチェックボックスをチェックすることで、各振動解析診断処理結果を選択することができる。
【０１１１】
表示ボタン６０２は、保存データ表示ウィンドウ６０１において選択された振動解析診断処理結果を表示するための選択ボタンである。削除ボタン６０３は、保存データ表示ウィンドウ６０１において選択された振動解析診断処理結果を削除するための選択ボタンである。編集ボタン６０４は、保存データ表示ウィンドウ６０１において選択された振動解析診断処理結果を編集するための選択ボタンである。
【０１１２】
操作者が保存データ表示画面６上の保存データ表示ウィンドウ６０１を操作して、左端のチェックボックスをチェックして振動解析診断処理結果を選択し（ステップＳ６７）、さらに、操作者が保存データ表示画面６上の表示ボタン６０２を操作して、「表示」を選択すると（ステップＳ６８）、情報端末装置４０は、図１９に示す振動解析診断プログラムの振動解析診断処理結果表示画面７を表示して（ステップＳ６９）、振動解析診断システム１０における保存データ表示手順を終了する。
【０１１３】
図１９に示すように、振動解析診断プログラムの振動解析診断処理結果表示画面７には、例えば、振動解析診断処理結果表示ウィンドウ７０１、振動解析診断機能ボタン７０２−１，７０２−２，７０２−３，７０２−４等が表示される。図１９では、「ＣＨ１」の振動センサ２１における簡易診断機能による簡易診断処理結果が振動解析診断処理結果表示ウィンドウ７０１に表示され、軸受診断機能、振動値測定機能、周波数分析機能、聴音機能（後述）の各機能を表示するためのボタンが振動解析診断機能ボタン７０２−１，７０２−２，７０２−３，７０２−４としてそれぞれ割り当てられた例を示している。
【０１１４】
操作者が振動解析診断処理結果表示画面７上の振動解析診断機能ボタン７０２−１，７０２−２，７０２−３，７０２−４を操作することで、軸受診断機能、振動値測定機能、簡易診断機能、周波数分析機能、聴音機能の各振動解析診断機能における振動解析診断処理結果を選択して振動解析診断処理結果表示ウィンドウ７０１に表示することができる。
【０１１５】
次に、本実施形態に係る振動解析診断システム１０における振動解析診断プログラム及び損傷周波数データベースの更新手順について説明する。
【０１１６】
図２０は、実施形態に係る振動解析診断システムにおける振動解析診断プログラム及び損傷周波数データベースの更新手順の一例を示すフローチャートである。図２１は、振動解析診断プログラム及び損傷周波数データベースの更新手順におけるバージョン情報表示画面の一例を示す図である。図２２は、振動解析診断プログラム及び損傷周波数データベースの更新手順における更新確認画面の一例を示す図である。なお、図２２では、振動解析診断プログラムの更新確認画面を表示する例を示している。
【０１１７】
図７に示す振動解析診断プログラムの起動処理によって実施形態に係る振動解析診断プログラムが起動すると（ステップＳ８１）、情報端末装置４０の処理部４３は、図１２に示す振動解析診断プログラムの初期画面２を表示操作部４５に表示する（ステップＳ８２）。
【０１１８】
操作者がユーティリティ画面３上のユーティリティボタン２０３を操作して、「ユーティリティ」を選択すると（ステップＳ８３）、情報端末装置４０の処理部４３は、図１３に示す振動解析診断プログラムのユーティリティ画面３を表示操作部４５に表示する（ステップＳ８４）。
【０１１９】
操作者がユーティリティ画面３上のバージョン情報ボタン３０４を操作して、「バージョン情報」を選択すると（ステップＳ８５）、情報端末装置４０の処理部４３は、サーバ２００に対し、振動解析診断プログラム又は損傷周波数データベースの更新データ確認の要求処理を行い（ステップＳ８６）、振動解析診断プログラム又は損傷周波数データベースの更新データ（以下、単に「更新データ」とも称する）があるか否かを判定する（ステップＳ８７）。
【０１２０】
更新データがない場合（ステップＳ８７；Ｎｏ）、情報端末装置４０の処理部４３は、図２１に示す「バージョン情報表示画面」を表示操作部４５に表示して（ステップＳ８８）、振動解析診断システム１０における振動解析診断プログラム及び損傷周波数データベースの更新手順を終了する。
【０１２１】
更新データがある場合（ステップＳ８７；Ｙｅｓ）、情報端末装置４０の処理部４３は、図２２に示す「更新確認画面」を表示操作部４５に表示して（ステップＳ８９）、振動解析診断プログラム又は損傷周波数データベースの更新待機状態に移行し、振動解析診断プログラム又は損傷周波数データベースの起動承認可否を判定する（ステップＳ９０）。
【０１２２】
操作者が「更新確認画面」上の「キャンセル」ボタンを操作して、振動解析診断プログラム又は損傷周波数データベースの更新をキャンセルすると（ステップＳ９０；Ｎｏ）、情報端末装置４０の処理部４３は、動解析診断プログラム又は損傷周波数データベースの更新を中断して（ステップＳ９１）、振動解析診断プログラム及び損傷周波数データベースの更新手順を終了する。
【０１２３】
操作者が「起動確認画面」上の「ＯＫ」ボタンを操作して、振動解析診断プログラムの更新又は損傷周波数データベースを承認すると（ステップＳ９０；Ｙｅｓ）、情報端末装置４０の処理部４３は、サーバ２００から振動解析診断プログラム又は損傷周波数データベースの更新データを取得し、振動解析診断プログラム又は損傷周波数データベースを更新して（ステップＳ９２）、振動解析診断プログラム及び損傷周波数データベースの更新手順を終了する。
【０１２４】
ここで、振動解析診断プログラムの更新を行う場合、情報端末装置４０の処理部４３は、記憶部４４に記憶されている振動解析診断プログラムを更新すると共に、可搬型記憶装置３０のコントローラ３１に対し、可搬型記憶装置３０の内部メモリ３２に記憶された振動解析診断プログラムの更新要求を行う。可搬型記憶装置３０のコントローラ３１は、可搬型記憶装置３０の内部メモリ３２に記憶された振動解析診断プログラムを更新する。
【０１２５】
又は、損傷周波数データベースの更新を行う場合、情報端末装置４０の処理部４３は、記憶部４４に記憶されている損傷周波数データベースを更新すると共に、可搬型記憶装置３０のコントローラ３１に対し、可搬型記憶装置３０の内部メモリ３２に記憶された損傷周波数データベースの更新要求を行う。可搬型記憶装置３０のコントローラ３１は、可搬型記憶装置３０の内部メモリ３２に記憶された損傷周波数データベースを更新する。
【０１２６】
上述した振動解析診断プログラム及び損傷周波数データベースの更新手順により、情報端末装置４０及び可搬型記憶装置３０の振動解析診断プログラム及び損傷周波数データベースは、振動解析診断プログラムを起動する毎に、更新データの有無を確認し、更新データがある場合には、最新の振動解析診断プログラム及び損傷周波数データベースに更新することができる。これにより、常に最新の振動解析診断プログラム及び損傷周波数データベースを用いて、振動解析診断処理を行うことができる。
【０１２７】
本実施形態では、図７に示す振動解析診断プログラムの起動処理を実施することにより、振動解析診断プログラムを起動することができる。換言すれば、情報端末装置４０に可搬型記憶装置３０が接続されていない場合、又は、情報端末装置４０の記憶部４４に記憶された設定情報ファイルの固有情報と、可搬型記憶装置３０の内部メモリ３２に記憶されたライセンスキーに含まれる固有情報とが一致していない場合には、振動解析診断プログラムを起動することができないようにしている。
【０１２８】
また、図１５に示す振動解析診断処理によって取得された振動解析診断処理結果は、可搬型記憶装置３０の内部メモリ３２に保存データとして記憶され、振動解析診断プログラムを実行することにより閲覧することができる。換言すれば、情報端末装置４０に可搬型記憶装置３０が接続されていない場合、又は、情報端末装置４０の記憶部４４に記憶された設定情報ファイルの固有情報と、可搬型記憶装置３０の内部メモリ３２に記憶されたライセンスキーに含まれる固有情報とが一致していない場合には、振動解析診断プログラムを起動することができないようにしているので、可搬型記憶装置３０の内部メモリ３２に保存データとして記憶された振動解析診断処理結果を閲覧することができない。
【０１２９】
また、図２０に示す振動解析診断プログラム及び損傷周波数データベースの更新処理は、振動解析診断プログラムを起動した状態で行われる。換言すれば、情報端末装置４０に可搬型記憶装置３０が接続されていない場合、又は、情報端末装置４０の記憶部４４に記憶された設定情報ファイルの固有情報と、可搬型記憶装置３０の内部メモリ３２に記憶されたライセンスキーに含まれる固有情報とが一致していない場合には、振動解析診断プログラムを起動することができないようにしているので、振動解析診断プログラム及び損傷周波数データベースの更新処理を行うことができない。
【０１３０】
このため、振動解析診断プログラム及び損傷周波数データベースの秘匿性を高めることができる。また、保存データとして可搬型記憶装置３０の内部メモリ３２に記憶された振動解析診断処理結果の情報漏洩を防ぐことができ、セキュアな振動解析診断システム１０を構築することができる。
【０１３１】
以上説明したように、実施形態に係る振動解析診断システム１０は、軸受１１の損傷に起因する損傷周波数を、軸受１１の回転速度を基に換算した換算損傷周波数として保存した損傷周波数データベースと、この損傷周波数データベースを参照して、軸受１１の動作状態を診断するための振動解析診断プログラムと、振動解析診断プログラムが動作する情報端末装置４０と、固有情報を含むライセンスキー、損傷周波数データベース、及び振動解析診断プログラムが記憶され、情報端末装置４０に接続される可搬型記憶装置３０と、を備える。情報端末装置４０は、損傷周波数データベース及び振動解析診断プログラムがインストールされていない場合に、損傷周波数データベース及び振動解析診断プログラムをインストールする。
【０１３２】
これにより、機械設備の保守点検作業にかかる労力や費用を軽減することができる。
【０１３３】
また、情報端末装置４０は、損傷周波数データベース及び振動解析診断プログラムをインストールする際に、ライセンスキーの固有情報を含む設定情報ファイルを作成し、ライセンスキーに含まれる固有情報と、設定情報ファイルの固有情報とが一致した場合に、振動解析診断プログラムを起動する。
【０１３４】
これにより、振動解析診断プログラム及び損傷周波数データベースの秘匿性を高めることができ、セキュアな振動解析診断システム１０を構築することができる。
【０１３５】
また、可搬型記憶装置３０は、振動解析診断プログラムによる振動解析診断結果が保存データとして記憶され、情報端末装置４０は、ライセンスキーに含まれる固有情報と、設定情報ファイルの固有情報とが一致した場合に、保存データを表示する。
【０１３６】
これにより、保存データとして可搬型記憶装置３０の内部メモリ３２に記憶された振動解析診断処理結果の情報漏洩を防ぐことができ、セキュアな振動解析診断システム１０を構築することができる。
【０１３７】
また、情報端末装置４０は、サーバ２００との間でデータの送受信を行う機能を有し、ライセンスキーに含まれる固有情報と、設定情報ファイルの固有情報とが一致した場合に、サーバ２００に格納された損傷周波数データベース及び振動解析診断プログラムの更新データを取得する。
【０１３８】
これにより、振動解析診断プログラム及び損傷周波数データベースの秘匿性を高めることができ、セキュアな振動解析診断システム１０を構築することができる。
【０１３９】
また、実施形態に係る可搬型記憶装置３０は、軸受１１の損傷に起因する損傷周波数を、軸受１１の回転速度を基に換算した換算損傷周波数として保存した損傷周波数データベースと、損傷周波数データベースを参照して、軸受１１の動作状態を診断するための振動解析診断プログラムと、損傷周波数データベース及び振動解析診断プログラムを情報端末装置４０にインストールするインストーラと、固有情報を含むライセンスキーと、が記憶されている。
【０１４０】
これにより、機械設備１の保守点検作業にかかる労力や費用を軽減することができる。また、振動解析診断プログラム及び損傷周波数データベースの秘匿性を高めることができる。
【０１４１】
また、可搬型記憶装置３０は、振動解析診断プログラムによる振動解析診断結果が保存データとして記憶され、情報端末装置４０が振動解析診断プログラムを起動する際、ライセンスキーに含まれる固有情報と、情報端末装置４０に損傷周波数データベース及び振動解析診断プログラムがインストールされた際に作成された設定情報ファイルの固有情報とを照合することが好ましい。
【０１４２】
これにより、保存データとして可搬型記憶装置３０の内部メモリ３２に記憶された振動解析診断処理結果の情報漏洩を防ぐことができる。
【０１４３】
このように、本実施形態によれば、機械設備１の保守点検作業にかかる労力や費用を軽減することができる振動解析診断システム１０及び可搬型記憶装置が得られる。
【符号の説明】
【０１４４】
１  機械設備
２  初期画面
３  ユーティリティ画面
４−１，４−２，４−３，４−４  診断条件設定画面
５  診断処理終了画面
６  保存データ表示画面
７  振動解析診断処理結果表示画面
１０  振動解析診断システム
１１  軸受（転がり軸受）
１２  外輪
１３  内輪
１４  転動体
２０  振動分析装置
３０  可搬型記憶装置
３１  コントローラ
３２  内部メモリ
４０  情報端末装置
４３  処理部
４４  記憶部
４５  表示操作部
１００  通信回線網
２００  サーバ
２０１  診断条件読み込みボタン
２０２  診断開始ボタン
２０３  ユーティリティボタン
２０４  終了ボタン
３０１  診断条件設定ボタン
３０２  保存データ読み出しボタン
３０３  データ送信ボタン
３０４  バージョン情報ボタン
３０５  戻るボタン
４０１−１  基本設定ウィンドウ
４０１−２  軸受設定ウィンドウ
４０１−３  測定条件設定ウィンドウ
４０１−４  判定条件設定ウィンドウ
４０２  保存ボタン
４０３  取り消しボタン
５０１−１，５０１−２，５０１−３  簡易診断結果
５０２  再測定（個別ＣＨ）ボタン
５０３  再測定（全ＣＨ）ボタン
５０４  選択ボタン
６０１  保存データ表示ウィンドウ
６０２  表示ボタン
６０３  削除ボタン
６０４  編集ボタン
７０１  振動解析診断処理結果表示ウィンドウ
７０２−１，７０２−２，７０２−３，７０２−４  振動解析診断機能ボタン
Ｓｂ，Ｓｂ１，Ｓｂ２  転動体傷成分（損傷周波数）
Ｓｉ，Ｓｉ１，Ｓｉ２  内輪傷成分（損傷周波数）
Ｓｏ，Ｓｏ１，Ｓｏ２  外輪傷成分（損傷周波数）
【図１】
2020071038.tif 000003
【図２】
2020071038.tif 000004
【図３】
2020071038.tif 000005
【図４】
2020071038.tif 000006
【図５】
2020071038.tif 000007
【図６】
2020071038.tif 000008
【図７】
2020071038.tif 000009
【図８】
2020071038.tif 000010
【図９】
2020071038.tif 000011
【図１０】
2020071038.tif 000012
【図１１】
2020071038.tif 000013
【図１２】
2020071038.tif 000014
【図１３】
2020071038.tif 000015
【図１４Ａ】
2020071038.tif 000016
【図１４Ｂ】
2020071038.tif 000017
【図１４Ｃ】
2020071038.tif 000018
【図１４Ｄ】
2020071038.tif 000019
【図１５】
2020071038.tif 000020
【図１６】
2020071038.tif 000021
【図１７】
2020071038.tif 000022
【図１８】
2020071038.tif 000023
【図１９】
2020071038.tif 000024
【図２０】
2020071038.tif 000025
【図２１】
2020071038.tif 000026
【図２２】
2020071038.tif 000027